(57)【特許請求の範囲】
【請求項１】
基礎部材（１０）の上面にウッドフェンスを施工する工法であって、
角材（２０）と、
クロスポール（３０）と、
ストレートピン（４０）と、
コンクリートブロック（１２）による基礎部材（１０）と、
を利用し、
前記角材（２０）には、前記基礎部材（１０）の平滑な上面に面接触して自立する底面（２１）と、前記クロスポール（３０）を連通させるための連通穴（２２）を設け、
前記クロスポール（３０）は、所定間隔で複数配置した前記角材（２０）の前記連通穴（２２）に連通して前記基礎部材（１０）の上面に自立するパネル（５０）を形成し、
該パネル（５０）を構成する複数の前記角材（２０）の一部において、前記底面（２１）にストレートピン（４０）を固設し、
前記ストレートピン（４０）を前記基礎部材（１０）のウェブ（１３）間の空洞部（１４）を利用した挿入穴（１１）に挿入し、該ストレートピン（４０）は、前記空洞部（１４）で挟持されるように２本で構成され、該挿入穴（１１）と前記ストレートピン（４０）との隙間に無収縮モルタル（６０）によるグラウトを行うことを特徴とするウッドフェンスのストレートピン工法（１）。
【発明の詳細な説明】
【技術分野】
【０００１】
本発明は、地震時に倒壊の恐れのあるコンクリートブロック塀や石塀を木の塀に容易にリニューアルする技術に関し、詳しくは、コンクリートブロック塀や石塀を全て撤去するのではなく、危険と思われる高い部分のみ撤去し、或いは布基礎の再利用によって解体工事の負担を軽減し、ローコスト化を図るとともに、パネル化した木材の利用により施工効率の向上を可能とする、ウッドフェンスの新たな施工方法技術に関する。
【背景技術】
【０００２】
近年多発している地震により、倒壊の恐れのあるブロック塀が問題視されるようになってきた。特に基礎上に１．２ｍを超えるブロックを積み上げて作られたブロック塀では倒壊すると大惨事に成りかねないという問題があり、学校や公共施設の塀は、ブロック塀からネットフェンスやメッシュフェンスへ移行する工事が行われるようになってきている。しかし、係る工事の費用は膨大であり不経済であると言わざるをえない。
【０００３】
また、ネットフェンスやメッシュフェンスでは目隠し効果が低いとともに、特に美観を損なうという問題もあり、木材が持つ温かみや美しさを創出する木質塀へのリニューアルを図りたいところである。格子状の木質塀であれば強風に対しても風を逃がすことができるのでパネル状の塀と比較して安全である。しかしながら、木質塀への移行も費用が掛かり、何れにしてもコスト削減といった問題は解決できていない。木材に関しては、輸入材の依存度が高く収穫期を迎えた国産の人口林の利用価値を高める必要や、専らバイオマス発電燃料として利用されている小径木の新たな利用の途を図る必要がある。即ち、ローコストで安全な塀を構築する新たな技術提案が求められている。
【０００４】
そこで、従来より、種々の技術提案がなされている。例えば、発明の名称を「建築用ブロック、これを用いた建築用パネル及び建築用パネル形成工法」とする技術が開示されている（特許文献１参照）。係る技術は、「建築物の壁部や床部などの平面状構造体を比較的短期間で容易に構築することができ、これらの平面状構造体の耐久性も向上させることのできる技術を提供する。」ことを課題とし、具体的には、「外周面を互いに当接させて平面状に複数配列することにより平面状構造体を構築可能な建築用ブロックであって、線状または棒状の緊張用部材を挿通させるために形成された複数の貫通孔と、前記緊張用部材と立体交差する方向に他の緊張用部材を配置するため前記貫通孔の軸心方向と交差する前記外周面に形成された凹部と、を備えたことを特徴とする建築用ブロック。」という技術である。しかしながら、特許文献１に記載の技術は、ブロック自体を積み重ねて構成されるものであって、重量等の軽減という課題は解決しておらず、また、木質塀とするものではない。
【０００５】
また、発明の名称を「塀又は基礎構築用コンクリート製ブロック体及び該コンクリート製ブロック体を用いた塀又は基礎の構築方法」とする技術が開示されている（特許文献２参照）。係る技術は、「安定堅固な塀又は基礎を効率良く施設することのできるコンクリート製ブロック体及び構築方法の提供する。」ことを課題とし、具体的には、「下面にＵ字状鉄筋棒を突設したコンクリート製ブロック体；玉石を含んだベース上に、Ｕ字状鉄筋棒の長さよりも高い台座ブロックを複数個置き、次いで該台座ブロックの上に前記のコンクリート製ブロック体を載せ、次いで該コンクリート製ブロック体のＵ字状鉄筋棒に複数の鉄筋棒を差し込み、次いで該差し込んだ鉄筋棒に更に別の鉄筋棒を係止させた後、生コンクリートを流し込んで固化せしめる塀又は基礎の構築方法。」という技術である。しかしながら、特許文献２に記載の技術は、専用のコンクリート製ブロック体を用いるため、既存のコンクリート塀を利用する構成ではないため、本発明の課題を解決するに至っていない。
【０００６】
また、発明の名称を「控え壁付乾式塀」とする技術が開示されている（特許文献３参照）。
係る技術は「強度が高く、施工高さを高く形成しても、揺れの問題が発生しにくい控え壁付き乾式塀の提供。部外者に柔らかく暖かなイメージを与えることができる住宅建物の塀構造」の提供を課題とし、具体的には、「本体支柱1Aに上下に適宜間隔をあけてジョイント材２を架設し、これらのジョイント材２間にパネル体を、最上部のジョイント材に笠木材を保持させて塀本体を形成し、控え壁支柱1Bを塀本体より 側方にはずれた位置に設けて控え壁を形成し、控え壁支柱1Bおよびこの控え壁支柱1Bに最も近い二本の本体支柱1Aに取り付けられるジョイント材、パネル体または笠木材の内の少なくとも一つの部材を、平面視略Ｌ字型に形成し、この一つの部材の一端を控え壁支柱1Bに保持させ、他端をこの控え壁支柱1Bに最も近い片方の本 体支柱1Aに保持させている。」とする技術である。しかしながら、特許文献３に記載の技術は、パネル体を支柱に貼り付けていく構成であり、各支柱により外装塀を構成する本発明とは異にするものである。
【先行技術文献】
【特許文献】
【０００７】
【特許文献１】ＷＯ２００５／０１０２９２号
【特許文献２】特開平１１−９３１８１号
【特許文献３】特開平１０−３２５２６７号
【発明の概要】
【発明が解決しようとする課題】
【０００８】
本発明は、ローコストに木質塀を提供できるとともに、施工効率を向上させたウッドフェンスの施工方法の提供を課題とするものである。
【課題を解決するための手段】
【０００９】
本発明は、基礎部材の上面にウッドフェンスを施工する工法であって、角材と、クロスポールと、ストレートピンと、基礎部材と、を利用し、前記角材には、前記基礎部材の平滑な上面に面接触して自立する底面と、前記クロスポールを連通させるための連通穴を設け、前記クロスポールは、所定間隔で複数配置した前記角材の前記連通穴に連通して前記基礎部材の上面に自立するパネルを形成し、該パネルを構成する複数の前記角材の一部において、前記底面にストレートピンを固設し、前記ストレートピンを前記基礎部材の挿入穴に挿入し、該挿入穴と前記ストレートピンとの隙間に無収縮モルタルによるグラウトを行う構成を採用する。
【００１０】
また、本発明は、前記基礎部材がコンクリートブロックであって、前記挿入穴にウェブ間の空洞部を利用し、
前記ストレートピンが前記空洞部で挟持されるように２本で構成させることもできる。
【００１１】
また、本発明は、前記基礎部材がコンクリートブロックであって、該コンクリートブロックへ前記挿入穴を設け、前記ストレートピンが横方向に配置される鉄筋を跨ぐように２本で構成させることもできる。
【００１２】
また、本発明は、前記基礎部材が布基礎であって、立ち上げ部の上面に前記挿入穴を設ける構成を採用することもできる。
【００１３】
また、本発明は、前記基礎部材が石基礎であって、積み上げられた石材の上面に前記挿入穴を設ける構成を採用することもできる。
【発明の効果】
【００１４】
本発明に係るウッドフェンスのストレートピン工法によれば、従来の布基礎にアンカーボルトや支柱を設置した工法とは異なり、自立が可能な木製パネルをストレートピンで取りつけていくため施工が簡単にでき、作業負担を軽減できるという優れた効果を発揮する。
【００１５】
また、本発明に係るウッドフェンスのストレートピン工法によれば、近年問題視されているコンクリートブロック塀のリニューアルに際し、基礎部分を再利用して木質塀に変更できるという優れた効果を発揮するものである。
【００１６】
また、本発明に係るウッドフェンスのストレートピン工法によれば、収穫期を迎えた人工林の国産材を大量に利用することが可能で、バイオマス発電の原料として利用されてしまう小径木も利用が可能であり、国産材の価値を大きく向上させることができ、瞬時にＣ０２を大気に戻してしまうバイオマス燃料としての利用とは異なり、防腐処理を施すことにより、長期のＣ０２の固定も促進させることができるという優れた効果を発揮する。
【００１７】
また、本発明に係るウッドフェンスのストレートピン工法によれば、支柱が目立たず控え柱がなく、金物が露出しない工法なのでデザイン性が高いという優れた効果を発揮する。
【００１８】
また、本発明に係るウッドフェンスのストレートピン工法によれば、隣接する土地の境界線上に共有の塀を設けやすいという特徴がある。即ち本発明に係るウッドフェンスのストレートピン工法により制作される木質塀は塀の両面が同じ仕上げ面となり、所謂、リバーシブルな景観を創出できることから、土地の共有者同士に対しても公平なデザインを提供でき、境界線に塀の外面が沿うように両方の土地のそれぞれに塀を設置する無駄をなくし、費用負担の軽減に資するという優れた効果を発揮する。
【図面の簡単な説明】
【００１９】
【図１】本発明に係るウッドフェンスのストレートピン工法の基本構成を説明する基本構成説明図である。
【図２】本発明に係るウッドフェンスのストレートピン工法による施工例を示す施工例説明図である。
【図３】本発明に係るコンクリートブロック対応ストレートピンの配置構成を説明する説明図である。
【図４】本発明に係るウッドフェンスのストレートピン工法に利用可能な基礎部材への施工例を示す施工例説明図である。
【図５】本発明に係るウッドフェンスのストレートピン工法を用いた施工例を示す施工例説明図である。
【発明を実施するための形態】
【００２０】
本発明は、基礎部材の上面にウッドフェンスとなるパネルを施工する施工方法であって、自立する角材を用いた自立するパネルの所定箇所に、ストレートピンを介して固定していくことを最大の特徴とするものである。以下、図面に基づいて説明する。但し、係る図面に記載された形状や構成に限定されるものではなく、本発明の技術的思想の創作として発揮する効果の得られる範囲内で変更可能である。
【００２１】
図１は、本発明に係るウッドフェンスのストレートピン工法の基本構成を説明する基本構成説明図である。なお、図１は、基礎部材１０にコンクリートブロック１１を利用する構成での実施例を示したものである。
【００２２】
基礎部材１０は、コンクリート製の布基礎１５やベタ基礎、或いはコンクリートブロック１２や石塀１８等の堅固に土地に定着した部材であればよく、例えば、布基礎１５の場合であれば、立ち上げ部１６の上面のように、角材２０を自立させるための必要な水平面部を有していればよい。又、既存のコンクリート塀を生かしてこれを利用する場合では、取り除いた残存コンクリートブロック１２でもよい。即ち新たに基礎を施工する必要はなく、既存のネットフェンスやメッシュフェンスの基礎を利用するものでもよい。
【００２３】
挿入穴１１は、基礎部材１０の上面に設けられるストレートピン４０を挿入するための穴部である。係る挿入穴１１は、角材２０の底面２１から突き出したストレートピン４０を挿入可能とする深さと内径を有し、内径についてはストレートピン４０の外径よりもよりやや大きめとして、パネル５０の設置の際の位置調整の自由度を持たせることが望ましい。また、係る径差における隙間は無収縮モルタルによるグラウトの領域となる。
【００２４】
コンクリートブロック１２は、基礎部材１０を構成する一例であって、一般的な建築用コンクリートブロック、空洞コンクリートブロック、化粧コンクリートブロック、型枠コンクリートブロック等を用いればよく、断面において角のとれた矩形もしくは円形の穴が開いている空洞部を有するものが望ましい。最も適しているのは規格化された建築用コンクリートブロック（ＪＩＳ  Ａ  ５４０６）の基本型、横筋用、すみ用である。係るコンクリートブロック１２は、新たに施工されるものに限られず、既存のコンクリートブロック塀の底部から数段上に配置されたコンクリートブロック１２を排除した残存コンクリートブロック１２でもよい。
【００２５】
ウェブ１３は、コンクリートブロック１２において、両側面を形成するフェイスシェル同士の間をかけ渡すように繋ぐ部分である。係るウェブ１３が、幅方向に渡って複数設けられていることにより空洞部１４が形成される。但し、横筋用コンクリートブロックの上面側は長手方向に対して連通した溝部があるため、下面側のみにウェブ１３が存在する形状の場合は、コンクリートブロック１２の上下を逆さまにして用いるか、既存のコンクリート塀であれば、上部に振動ドリル等で挿入穴１１を穿孔する。
【００２６】
空洞部１４は、複数のウェブ１３間の隙間領域であり、ストレートピン４０を挿入するための挿入穴１１として利用する。係る空洞部１４は、パネル５０を組み立て後、基礎部材１０の挿入穴１１へストレートピン４０を挿入する際に、ストレートピン４０と挿入穴１１との隙間に充填される無収縮モルタル６０の充填部となる。なお、ストレートピン４０を二本構成とする場合は、係る空洞部１４に挟持されることにより、パネル５０の立設補強にも貢献する。
【００２７】
布基礎１５は、基礎部材１０を構成する一例であって、Ｔの字を逆にした断面形状の鉄筋コンクリートが連続して設けられる基礎で、立ち上げ部１６の上端と下部には鉄筋が配筋される。
【００２８】
立ち上げ部１６は、フーチング１７といわれる布基礎１５の底辺部の中心に上方へ立ち上げられた部分であり、上面は水平な平面であるので、本発明において基礎部材１０が布基礎１５である場合は、係る上面に角材２０を自立させることになる。但し、布基礎１５の立ち上げ部１６の上面にはコンクリートブロック１１のような空洞部が存在しないのが一般的であるため、ストレートピン４０の挿入穴を振動ドリル等で設ける必要がある。また、立ち上げ部１６の高さが高すぎる場合にはフーチング１７との境で立ち上げ部１６を排除し、角材２０の底面２１を受ける面を形成してもよい。
【００２９】
石基礎１８は、石材を重ねて立ち上げ、石材同士の隙間にモルタル等を用いて一体化した基礎である。石材によっては、石材を積み上げると平らな上面が得られないため水平な位置へ挿入穴１１を設けるかモルタル等を用いて平らな面を形成し、そこへストレートピン４０の挿入穴を振動ドリル等で設ける。
【００３０】
角材２０は、ウッドフェンスとなるパネル５０を構成する縦方向の木質材である。例えば、図２の実施例のように、８５ｍｍ×４０ｍｍ×１５００ｍｍの角材２０を１０本用い、この上方と下方に、それぞれ直径２８ｍｍのクロスポール３０を２本連通させて１枚のパネル５０を構成する。係る角材２０には、間伐材などの小径木も利用が可能であることから、国産材の価値を大きく向上させることができる。ただし、係る構成はあくまで実施例であって、角材２０の長さや断面寸法、或いは本数についてはこれらに限定されるものではない。
【００３１】
底面２１は、角材２０の長手方向の一端側であって、係る長手方向を垂直方向に配置したときの底面２１となる面であり、角材２０を自立させるだけの大きな面積を必要とする。詳しくは、角材２０の重心が傾いたとき係る重心が接触点の真上を越さないような断面寸法となっていることが理想的である。具体的には、例えば、図２の実施例のように、角材の長さが１．５ｍであれば、底面２１の寸法を８５ｍｍ×４０ｍｍとする。なお、クロスポール３０を用いたパネル化とストレートピン４０による基礎部材１０への一体化により、重心の傾きは問題とはならない。即ち、平滑な基礎部の上面に隙間なく面接触することによって、仮に角材２０に外力が加わった場合でもストレートピン４０が直接コンクリートブロック１１の基台部１０に作用してこれを受け止める構造体となる。なお、木材は軽量であるので自重による倒壊の恐れはブロック塀に比べて減少させることができる。
【００３２】
連通穴２２は、角材２０にクロスポール３０を挿通させるための貫通穴である。例えば、図２の実施例のように、クロスポール３０の直径が２８ｍｍであれば、連通穴２２の穴径は３０ｍｍのように隙間嵌めの寸法公差として施工性を高めるとともに、施工後の角材２０の変形による一体化が図られる。
【００３３】
クロスポール３０は、複数の角材２０をパネル化するための連結部材となるもので、パネル５０を構成する横方向の木質材である。例えば、図２の実施例のように、８５ｍｍ×４０ｍｍ×１５００ｍｍの角材２０を１０本用い、この上方と下方に、それぞれ直径２８ｍｍのクロスポール３０を２本連通させて１枚のパネル５０を構成する。ただし、係る構成はあくまで実施例であって、クロスポール３０の使用箇所、本数、直径についてはこれらに限定されるものではない。
【００３４】
ストレートピン４０は、9φ〜16φの丸鋼を使い、締まり嵌めによる寸法公差にてパネル化した角材２０の底面２１へ開けた同径の穴に打設して一体化するもので、例えば、角材２０の底面２１に、ストレートピン４０と同径の穴を開け、係るストレートピン４０を差し込み打設して抜けないようにする。なお、木材が乾燥することにより収縮し設置後更にストレートピン４０の周りが締めこまれより抜けにくくなるといった効果を発揮する。係る効果は本発明の重要な要部であり、角材２０とストレートピン４０が一体化することによって固定金物として取り付けが確立し設置面の大きな角材２０を用いることによって、転倒しない構造体となる。
【００３５】
パネル５０は、複数の角材２０の連通穴２２にクロスポール３０を挿通することで、パネル状のウッドフェンスとした部材である。具体的には、例えば、図２の実施例のように、８５ｍｍ×４０ｍｍ×１５００ｍｍの角材２０を１０本用い、この上方と下方に、それぞれクロスポール３０を２本連通させてできるパネル５０を、コンクリートブロック１２で構成される基礎部材１０の上面に連続して配置する。
【００３６】
無収縮モルタル６０は、基礎部材１０の挿入穴１１にストレートピン４０を挿入する際に、グラウトとして充填する充填剤であり
通常のモルタルは、セメントと水を混ぜて用途に合わせた形で硬化させることができるが、内部の水が乾燥することによって収縮してしまうため、どうしても空隙やひび割れができてしまう。そこで、無収縮モルタルは流動性に優れており、また混和材などの働きもあって、空隙ができない仕上がりの実現が可能な無収縮モルタル６０を使用することで、パネル５０との付着性も高まり、一体化しやすくなるので、ウッドフェンス自体の耐震強度を高めることができる。
【００３７】
充填済みモルタル７０は、既存のコンクリート塀の一部を排除して再利用する場合に、縦筋Ｔ１や横筋Ｔ２が入っていた空洞部１４や、補強用の空洞部１４に充填されていたモルタルのことである。
【００３８】
図２は、本発明に係るウッドフェンスのストレートピン工法による施工例を示す施工例説明図である。なお、図２に示したウッドフェンスは、基礎部材１０にコンクリートブロック１２を利用する構成の実施例であり、具体的には、１枚のパネル５０を角材２０に４０ｍｍ×８０ｍｍ×１５００ｍｍ×１０本、クロスポール３０に直径２８ｍｍ×８００ｍｍ×２本で構成し、これを３個のコンクリートブロック１２の基礎部材１０上へ、自立及び直径９ｍｍ、突き出し長さ１００ｍｍのストレートピン４０を空洞部１４又は挿入穴１１への挿入により保持し、無収縮モルタル６０によって補強し、これを連設して施工する実施例である。なお、係る実施例では、図２に示すように、一枚のパネル５０に対し、コンクリートブロック１２はオフセットして配置することが望ましい。また、図２のウッドフェンスでは笠木を示していないが、機能的にもデザイン的にも笠木は不要と考えられる。
【００３９】
ジョイント位置Ｊは、パネル５０の繋ぎ部であり、隣接するクロスポール３０の端部同士が角材２０の連通穴２２内において結合する位置を示すものである。
【００４０】
図３は、本発明に係るコンクリートブロック対応ストレートピンの配置構成を説明する説明図であり、図３（ａ）は基本型のコンクリートブロック１２を、空洞部１４が空いている方を上にした上面に、角材２０の底面２１（ハッチングした部分）を自立させた状態の配置を説明し、図３（ｂ）は、空洞部１４が貫通していない横筋用のコンクリートブロック１２の上面に、角材２０の底面２１（ハッチングした部分）を自立させた状態の配置を説明したものである。図３（ａ）のように、コンクリートブロック１２に当初から設けられている空洞部１４を挿入穴１１として利用する場合、例えばコンクリートブロック１２の厚みが１００ｍｍの規格品であれば、空洞部１４の厚み方向の寸法は５４ｍｍであるので、直径９ｍｍの二本のストレートピン４０の外側が５４ｍｍとなるように、角材２０の底面２１へピッチ間距離を４５ｍｍにしてストレートピン４０を設ける。他方、コンクリートブロック１２の厚みが１５０ｍｍの規格品であれば、空洞部１４の厚み方向の寸法は９０ｍｍであるので、直径１２ｍｍの二本のストレートピン４０の外側間が９０ｍｍとなるように、角材２０の底面２１へピッチ間距離を７８ｍｍにしてストレートピン４０を設ければよい。他方、図３（ｂ）のように、横筋用のコンクリートブロック１２の上面に、角材２０の底面２１（ハッチングした部分）で自立させる場合は、コンクリートブロック１２の横溝部分に振動ドリル等で挿入穴１１を穿設する。
【００４１】
図４は、本発明に係るウッドフェンスのストレートピン工法に利用可能な基礎部材への施工例を示す施工例説明図であり、図４（ａ）は基礎部材１０にコンクリートブロック１２を用いる例を示し、図４（ｂ）は基礎部材１０に布基礎１５を用いる例を示し、図４（ｃ）は基礎部材１０に石基礎１８を用いる例をそれぞれ示している。
【００４２】
図５は、本発明に係るウッドフェンスのストレートピン工法により実施される施工例を示す実施例説明図である。図５に示したのは、当初９段の大谷石で積み上げられた重厚な石塀であったものを、６段取り除き３段を残して、その上に角材２０をクロスポール３０によりパネル５０化したものを配置した例である。本発明に係るウッドフェンスのストレートピン工法１により、景観が美しく軽量な木質塀へと変更されたものである。
【産業上の利用可能性】
【００４３】
本発明に係るウッドフェンスのストレートピン工法によれば、地震時に倒壊の恐れのあるコンクリートブロック塀や石塀を木の塀に容易にリニューアルできる工法であり、コンクリートブロック塀や石塀を全て撤去するのではなく、布基礎や危険と思われる高い部分のコンクリートブロックや石を撤去し、既存基礎を再利用することで、解体工事を削減しローコスト化を図り、さらに、パネル化したユニットウッドフェンスを利用することで施工効率を向上させことでコストも軽減される工法であることから、産業上利用可能性は高いと思慮されるものである。
【符号の説明】
【００４４】
１    ウッドフェンスのストレートピン工法
１０  基礎部材
１１  挿入穴
１２  コンクリートブロック
１３  ウェブ
１４  空洞部
１５  布基礎
１６  立ち上げ部
１７  フーチング
１８  石基礎
２０  角材
２１  底面
２２  連通穴
３０  クロスポール
４０  ストレートピン
５０  パネル
６０  無収縮モルタル
７０  充填済みモルタル
Ｊ    ジョイント位置
Ｔ    鉄筋
【要約】
【課題】
本発明は、ローコストに木質塀を提供できるとともに、施工効率を向上させたウッドフェンスの施工方法の提供を課題とするものである。
【解決手段】
基礎部材の上面にウッドフェンスを施工する工法であって、角材と、クロスポールと、ストレートピンと、基礎部材と、を利用し、前記角材には、前記基礎部材の上面に自立する底面と、前記クロスポールを連通させるための連通穴を設け、前記クロスポールは、所定間隔で複数配置した前記角材の前記連通穴に連通して前記基礎部材の上面に自立するパネルを形成し、該パネルを構成する複数の前記角材の一部において、前記底面にストレートピンを固設し、前記ストレートピンを前記基礎部材の挿入穴に挿入し、該挿入穴と前記ストレートピンとの隙間に無収縮モルタルによるグラウトを行う構成を採用した。
【選択図】図１【図１】
0006767552.tif 000002
【図２】
0006767552.tif 000003
【図３】
0006767552.tif 000004
【図４】
0006767552.tif 000005
【図５】
0006767552.tif 000006